(57)【要約】【課題】一種類の長さの軸ピンで、軸ピンを使い分ける必要なく、異なる合計幅寸法の部材を結合することができる結合用ピンを提供する。【解決手段】一方の端部に頭部１が突設され、他方の端部に軸を直径方向に貫通する差込孔２が軸方向に沿った複数個所に設けられた軸ピン３。結合孔４を形成した複数の部材５を結合孔４同士を合致させて対向配置すると共に、この合致させた一連の結合孔４に軸ピン３を挿し通して一方の端部の部材５の外面に頭部１を当接したとき、他方の端部の部材５から突出する軸ピン３の端部において露出する差込孔２のうち、この他方の端部の部材５の外面に最も近い差込孔２に差し込まれるスナップピン６。この軸ピン３とスナップピン６を備える。【選択図】図１
2010196814.tif 000002
【特許請求の範囲】
【請求項１】
一方の端部に頭部が突設され、他方の端部に軸を直径方向に貫通する差込孔が軸方向に沿った複数個所に設けられた軸ピンと、それぞれ結合孔を形成した複数の部材を結合孔同士を合致させて対向配置すると共に、この合致させた一連の結合孔に軸ピンを挿し通して一方の端部の部材の外面に頭部を当接したとき、他方の端部の部材から突出する軸ピンの端部において露出する差込孔のうち、この他方の端部の部材の外面に最も近い差込孔に差し込まれるスナップピンと、を備えて成ることを特徴とする結合用ピン。
【請求項２】
スナップピンは、軸ピンの差込孔に差し込まれる直線ピン部と、差込孔に直線ピン部が差し込まれたときに軸ピンの外周に係合される係合ピン部と、直線ピン部と係合ピン部との間に設けられ、スナップピンを抜き差し操作する操作部とを備えて形成され、操作部は、直線ピン部に対して屈曲していることを特徴とする請求項１に記載の結合用ピン。
【請求項３】
スナップピンの操作部はループ形状に形成されていることを特徴とする請求項２に記載の結合用ピン。
【発明の詳細な説明】
【技術分野】
【０００１】
本発明は、例えば電動ベッドなどを組み立てる複数の部材を連結して結合するために用いられる結合用ピンに関するものである。
【背景技術】
【０００２】
電動ベッドは、土台フレームの上に昇降フレームを昇降自在に取り付け、昇降フレームを昇降駆動することによって、電動でベッドの高さ調節ができるようにしてある。またマットレスを敷くボトムを複数に分割して昇降フレームに取り付け、ベッドに寝る人の首から背中の部分に対応するボトムを上方へ回動させて斜めに立ち上げることによって、ベッドに寝ている人の背中を起こすことができ、またベッドに寝る人の脚の部分に対応するボトムを逆Ｖ字形になるように上方へ回動させることによって、脚を楽な姿勢に曲げることができるようにしてある。これらの昇降フレームの昇降駆動や、ボトムの回動駆動は、電動機によってリンク機構を作動させることによって、行なわれるようになっている。
【０００３】
ここで、電動ベッドは主として介護用に用いられるものであり、介護に必要な期間のみ使用されることが多いので、レンタル業者から家庭などにレンタルして使用されるのが一般的である。このようにレンタルの際の運搬に適するように、電動ベッドは組み立て・分解できるようになっている。例えば、土台フレームや昇降フレームは複数の枠部材を組み立てて形成することができるようにしてあり、またボトムは取付用の部材をリンク機構を形成する部材に組み付けるようにしてあり、容易に組み立て・分解ができるようになっている。
【０００４】
そして上記のような組み立て・分解ができる電動ベッドにおいて、電動ベッドを構成する各部材５の組み立てや分解を容易に行なうことができるように、軸ピン３とスナップピン６からなる結合用ピンＡを用いて、各部材５の結合を行なうようにしている（例えば特許文献１等参照）。
【０００５】
図１２はこのような結合用ピンＡを示すものであり、軸ピン３は一端に頭部１を突設すると共に、他端部に軸を直径方向に貫通する一つの差込孔２を設けて形成してある。またスナップピン６は直線ピン部７と、係合ピン部８と、直線ピン部７と係合ピン部８との間の操作部９から形成してある。
【０００６】
一方、電動ベッドを構成する部材５の結合部分には結合孔４が穿設してある。そして電動ベッドを組み立てるために、例えば二つの部材５ａ，５ｂを結合するにあたっては、各部材５ａ，５ｂの結合孔４を合致させた状態で、部材５ａ，５ｂを重ね、この部材５ａ，５ｂの一連の結合孔４に軸ピン３を差し通して頭部１を部材５ａの外面に係止させる。次に部材５ｂの結合孔４から突出した軸ピン３の端部の差込孔２にスナップピン６の直線ピン部７を差し込み、スナップピン６が部材５ｂの外面に係止して結合孔４から軸ピン３が抜けないようにすることによって、図１３（ａ）（ｂ）のようにして行なうことができるものである。
【０００７】
このように軸ピン３の差込孔２にスナップピン６の直線ピン部７を差し込むと、図１２（ｂ）に示すように、係合ピン部８の半円形に屈曲された係合部１５が軸ピン３の外周面に弾性的に係合し、スナップピン６が軸ピン３から容易に抜けないようにしてある。また電動ベッドを分解するために部材５ａ，５ｂを分解するにあたっては、軸ピン３に対する係合ピン部８の係合を外しながら差込孔２から直線ピン部７を引き抜き、次いで部材５ａ，５ｂの結合孔４から軸ピン３を抜き外すことによって行なうことができる。
【先行技術文献】
【特許文献】
【０００８】
【特許文献１】特開２００６−３４０９６４号公報
【発明の概要】
【発明が解決しようとする課題】
【０００９】
このようにして複数の部材５ａ，５ｂを結合用ピンＡで結合するにあたって、例えば、電動ベッドの土台フレームや昇降フレームなどを構成する枠部材は、断面ロ字形のパイプ状の部材５ａ，５ｂから形成されることが多く、この場合には図１３（ａ）のように部材５ａ，５ｂを合わせた幅寸法Ｌ１は大きい。一方、電動ベッドのリンク機構を形成するアームなどはコ字型材やＬ字型材の部材５ａ，５ｂで形成されることが多く、この場合には図１３（ｂ）のように部材５ａ，５ｂを合わせた幅寸法Ｌ２は小さくなる。
【００１０】
従って、上記の図１２のような結合用ピンＡを用いて部材５ａ，５ｂを結合するにあたって、図１３（ａ）のように幅寸法Ｌ１が大きい部材５ａ，５ｂを結合するには、頭部１と差込孔２との間の距離Ｌが長い長寸法の軸ピン３を用いる必要があり、また図１３（ｂ）のように幅寸法Ｌ２が小さい部材５ａ，５ｂを結合するには、頭部１と差込孔２との間の距離Ｌが短い短寸法の軸ピン３を用いる必要がある。
【００１１】
このように、結合する部材５ａ，５ｂの合計幅寸法に応じて長さの異なる複数種の軸ピン３を用意する必要があり、部品コストのうえで問題となるものであった。また結合する部材５ａ，５ｂに応じた寸法の軸ピン３を選択して使い分ける必要があるため、組み立ての作業が煩雑になるという問題もあった。
【００１２】
また、軸ピン３の差込孔２に直線ピン部７を差し込んでスナップピン６を挿着する操作や、差込孔２から直線ピン部７を抜いてスナップピン６を軸ピン３から外す操作は、操作部９を指先で摘んで行なうことになる。しかし、差込孔２に差し込む際には同時に係合ピン部８の係合部１５を軸ピン３の外周に係合させる必要があり、また差込孔２から抜く際には同時に係合部１５の係合を外す必要があるため、所要の力が必要となるが、操作部９を指先で摘むことでは大きな力を作用させることは難しく、軸ピン３にスナップピン６を挿着したり、軸ピン３からスナップピン６を取り外したりする操作が困難であるという問題があった。
【００１３】
本発明は上記の点に鑑みてなされたものであり、一種類の軸ピンで、軸ピンを使い分ける必要なく、異なる合計幅寸法の部材を結合することができる結合用ピンを提供することを目的とするものであり、また軸ピンへのスナップピンの挿着や取り外しの操作を容易に行なうことができる結合用ピンを提供することを目的とするものである。
【課題を解決するための手段】
【００１４】
本発明に係る結合用ピンは、一方の端部に頭部１が突設され、他方の端部に軸を直径方向に貫通する差込孔２が軸方向に沿った複数個所に設けられた軸ピン３と、それぞれ結合孔４を形成した複数の部材５を結合孔４同士を合致させて対向配置すると共に、この合致させた一連の結合孔４に軸ピン３を挿し通して一方の端部の部材５の外面に頭部１を当接したとき、他方の端部の部材５から突出する軸ピン３の端部において露出する差込孔２のうち、この他方の端部の部材５の外面に最も近い差込孔２に差し込まれるスナップピン６と、を備えて成ることを特徴とするものである。
【００１５】
このように、軸ピン３には軸方向の複数個所において差込孔２が設けてあるので、複数の部材５の合計幅寸法に応じた位置の差込孔２が部材５の結合孔４から突出するものであり、突出する差込孔２のうち部材５に最も近い差込孔２にスナップピン６を差し込むことによって、スナップピン６を結合孔４の開口縁に係止させて、複数の部材５を結合することができ、一種類の軸ピン３で、軸ピン３を使い分ける必要なく、異なる合計幅寸法の部材５を結合することができるものである。
【００１６】
また本発明において、上記スナップピン６は、軸ピン３の差込孔２に差し込まれる直線ピン部７と、差込孔２に直線ピン部７が差し込まれたときに軸ピン３の外周に係合される係合ピン部８と、直線ピン部７と係合ピン部８との間に設けられ、スナップピン６を抜き差し操作する操作部９とを備えて形成され、操作部９は、直線ピン部７に対して屈曲していることを特徴とするものである。
【００１７】
このようにスナップピン６の操作部９が直線ピン部７に対して屈曲しているので、軸ピン３の差込孔２に直線ピン部７を差し込んだり引き抜いたりする操作を、屈曲した操作部９を指で押したり、操作部９に指を引っ掛けて引いたりすることによって、容易に行なうことができるものである。
【００１８】
また本発明において、スナップピン６の操作部９はループ形状に形成されていることを特徴とするものである。
【００１９】
このように操作部９をループ形状に形成することによって、操作部９を指で押したり、指を引っ掛けて引いたりする際に、操作部９は広い範囲で指に接するものであり、操作部９を操作する際に指に感じる痛みを軽減することができるものである。
【発明の効果】
【００２０】
本発明によれば、軸ピン３には軸方向の複数個所において差込孔２が設けてあるので、複数の部材５の合計幅寸法に応じた位置の差込孔２が部材５の結合孔４から突出するものであり、突出する差込孔２のうち部材５に最も近い差込孔２にスナップピン６を差し込むことによって、スナップピン６を結合孔４の開口縁に係止させて、複数の部材５を結合することができ、一種類の軸ピン３で、軸ピン３を使い分ける必要なく、異なる合計幅寸法の部材５を結合することができるものである。
【図面の簡単な説明】
【００２１】
【図１】本発明の実施の形態の一例を示すものであり、（ａ）（ｂ）は断面図である。
【図２】同上の軸ピンとスナップピンを示すものであり、（ａ）は分解斜視図、（ｂ）は斜視図である。
【図３】マットレスを敷いた状態の電動ベッドを示す全体の斜視図である。
【図４】マットレスを敷いた状態の電動ベッドを示す全体の斜視図である。
【図５】マットレスを外した状態の電動ベッドを示す全体の斜視図である。
【図６】マットレスを外した状態の電動ベッドを示す全体の正面図である。
【図７】電動ベッドの土台フレームを示す斜視図である。
【図８】電動ベッドの昇降フレームを示す斜視図である。
【図９】（ａ）（ｂ）は回動アームを示す斜視図である。
【図１０】（ａ）は背ボトム板の下面を示す斜視図、（ｂ）は取付金具の斜視図である。
【図１１】（ａ）は腿ボトム板の下面を示す斜視図、（ｂ）は取付金具の斜視図である。
【図１２】従来の結合用ピンを示すものであり、（ａ）は分解斜視図、（ｂ）は斜視図である。
【図１３】従来例を示すものであり、（ａ）（ｂ）は断面図である。
【発明を実施するための形態】
【００２２】
以下、本発明の実施の形態を説明する。
【００２３】
図２は本発明の結合用ピンＡの一例を示すものであり、円柱状の軸ピン３とスナップピン６とから形成されるものである。軸ピン３の一方の端部には、軸ピン３より外径が大きい頭部１を張り出して形成してあり、軸ピン３の他方の端部には直径方向に貫通する差込孔２が穿設してある。この差込孔２は、軸ピン３の軸方向に沿った複数個所に設けられるものであり、図２の実施の形態では２箇所に差込孔２を設けるようにしてある。
【００２４】
スナップピン６は金属線材を屈曲加工して作製されるものであり、直線状の直線ピン部７と、直線ピン部７と概ね平行に配置される係合ピン部８と、直線ピン部７と係合ピン部８の対向する一端同士を一体に連結する操作部９とから形成してある。係合ピン部８の一部には直線ピン部７と反対側に凸湾曲する円弧状の係合部１５が形成してあり、係合部１５よりも先側の先端部は直線ピン部７と反対側に傾斜するガイド傾斜部１６として形成してある。また操作部９は円形に曲げてループ形状に形成されるものであり、直線ピン部７に対して傾斜方向乃至直角方向に屈曲させてある。すなわち、操作部９のループがなす面が、直線ピン部７と平行でなく、直線ピン部７の長手方向に対して傾斜方向かあるいは直角方向に曲がっているものである。操作部９の折曲の角度は特に限定されるものではないが、操作部９のループがなす面と直線ピン部７の延長線との間の角度が、３０°〜８０°の範囲であることが好ましく、より好ましくは５０°〜７０°の範囲である。また操作部９のループの大きさは、特に限定されるものではないが、手の指の腹で操作する場合には、手の指の腹程度の大きさが好ましい。
【００２５】
次に、本発明に係る結合用ピンＡを用いて複数の部材５を結合することによって組み立てを行なう一例として、電動ベッドを例に挙げて説明する。
【００２６】
電動ベッドは土台フレーム４０と、土台フレーム４０の上に配置される昇降フレーム４１を備え、昇降フレーム４１の上にボトム板３０を取り付けて図５及び図６に示すように形成されるものである。ボトム板３０は、ベッドに寝る人の身体のうち、主として頭部と背中の部分に対応する背ボトム板３０ａと、主として腰部に対応する腰ボトム板３０ｂと、主として大腿部に対応する腿ボトム板３０ｃと、主として臑部と足に対応する足ボトム板３０ｄに分割してあり、図３及び図４のようにボトム板３０の上にマットレス３１を敷くようになっている。各ボトム板３０は樹脂の中空成形品で軽量に形成してあり、背ボトム板３０ａと足ボトム板３０ｄの両側端にはマットレス３１のズレ防止用のストッパー２０が一体に突設してある。ストッパー２０には手を差し込むことのできる開口部２１が形成してあり、背ボトム板３０ａや足ボトム板３０ｄを持ち運ぶ際にストッパー２０を把手として利用できるようにしてある。
【００２７】
土台フレーム４０は図７に示すように、両端に設置脚４２を設けた一対の側枠材４３と、側枠材４３間に架設した一対の連結枠材４４から形成されるものであり、各連結枠材４４上に一対のアーム支持体４５が突設してある。この各アーム支持体４５にはそれぞれ昇降アーム４６の一端が上下回動自在に枢支してあり、それぞれの連結枠材４４上の一対のアーム支持体４５に枢支した昇降アーム４６の他端間に昇降ロッド４７が取り付けてある。昇降ロッド４７と昇降アーム４６とは固定されているものであり、昇降ロッド４７の両端にはコロ４８が回転自在に取り付けてある。また昇降ロッド４７にはそれぞれ連結アーム４９が突設してあり、連結ロッド５０の両端をこの各連結アーム４９の先端に上下回動自在に枢着することによって、一対の昇降ロッド４７と連結ロッド５０を連動するようにしてある。
【００２８】
昇降フレーム４１は図８に示すように、連結枠材５２で連結された一対の側枠材５３と、側枠材５３の両端にそれぞれ取り付けられる端部枠材５４，５５から形成されるものである。端部枠材５４，５５の両側の側部枠材５８と側枠材５３は、後述のように結合用ピンＡを用いて連結結合されるものである。上記の一対の側枠材５３には両端部にそれぞれ昇降脚５６が下方へ突出して設けてあり、昇降脚５６の下端に形成した半円形凹部５７を上記の土台フレーム４０の昇降ロッド４７の両端のコロ４８の上に載置することによって、土台フレーム４０の上に昇降フレーム４１を取り付けるようにしてある。
【００２９】
また昇降フレーム４１の側枠材５３間には、背ボトム板回動軸６０ａと腿ボトム板回動軸６０ｂが取り付けてある。背ボトム板回動軸６０ａは軸６１ａで側枠材５３に枢支連結して、軸６１ａを中心に上下回動自在にしてあり、腿ボトム板回動軸６０ｂは軸６１ｂで側枠材５３に枢支連結して、軸６１ｂを中心に上下回動自在にしてある。背ボトム板回動軸６０ａには回動アーム２７ａが図９（ａ）に示すように基端を固定して取り付けてあり、回動アーム２７ａは両側縁に側片６２を垂下して断面形状を下向き開口コ字形に形成してある。そして回動アーム２７ａの一方の側片６２の外面に前後一対の係止ピン２８を突設してあり、両方の側片６２に対向する位置で結合孔４が穿設してある。また腿ボトム板回動軸６０ｂには回動アーム２７ｂが図９（ｂ）に示すように基端を固定して取り付けてあり、回動アーム２７ｂは両側縁に側片６２を垂下して断面形状を下向き開口コ字形に形成してある。そして回動アーム２７ｂの一方の側片６２の外面に前後一対の係止ピン２８を突設してあり、両方の側片６２に対向する位置で結合孔４が穿設してある。
【００３０】
上記の昇降フレーム４１には、連結枠材５２で支持して電動機６５が取り付けてあり、この電動機６５には、電動機６５の回転運動を直進運動に変換して前進後退作動するアクチュエータ６６が設けてある。このアクチュエータ６６の先端は、上記の土台フレーム４０の連結ロッド５０に設けた連結受け具６７に回動自在に枢支連結してある。そして電動機６５を駆動してアクチュエータ６６を前進作動させると、連結受け具６７が図７のａ矢印のように押され、昇降アーム４６がｂ矢印のように上方へ回動すると共に昇降ロッド４７がｃ矢印のように上昇する。このように昇降ロッド４７が上昇することによって、昇降ロッド４７のコロ４８の上に載っている昇降フレーム４１が上昇し、ベッドの高さを高くした状態にすることができるものである。このように昇降アーム４６が上方へ回動してベッドを高くした状態を図６に鎖線で示す。また電動機６５を逆転させてアクチュエータ６を後退させることによって、上記と逆の動きで昇降アーム４６を下方へ回動させて昇降フレーム４１を下降させ、ベッドの高さを低くすることができるものである。
【００３１】
昇降フレーム４１にはさらに、側枠材５３で支持して電動機６９及び電動機７０が取り付けてある。電動機６９には、電動機６９の回転運動を直進運動に変換して前進後退作動するアクチュエータ７１が設けてあり、このアクチュエータ７１はリンク機構を介して背ボトム板回動軸６０ａに連結してある。また電動機７０には、電動機７０の回転運動を直進運動に変換して前進後退作動するアクチュエータ７２が設けてあり、このアクチュエータ７２はリンク機構を介して腿ボトム板回動軸６０ｂに連結してある。そして電動機６９を駆動してアクチュエータ７１を前進作動させると、背ボトム板回動軸６０ａが図８のｄ矢印のように回動され、この背ボトム板回動軸６０ａの回動に伴なって回動アーム２７ａはｅ矢印のように上方へ回動駆動されるようになっている。この電動機６９を逆転してアクチュエータ７１を後退作動させると、上記と逆の動きで回動アーム２７ａは下方へ回動する。また電動機７０を駆動してアクチュエータ７２を前進作動させると、腿ボトム板回動軸６０ｂが図８のｆ矢印のように回動され、この腿ボトム板回動軸６０ｂの回動に伴なって回動アーム２７ｂはｇ矢印のように上方へ回動駆動されるようになっている。この電動機７０を逆転してアクチュエータ７２を後退作動させると、上記と逆の動きで回動アーム２７ｂは下方へ回動する。
【００３２】
また各ボトム板３０は背ボトム板３０ａ、腰ボトム板３０ｂ、腿ボトム板３０ｃ、足ボトム板３０ｄの順に一列に配置されるが、腿ボトム板３０ｃと足ボトム板３０ｄは蝶番３２で上下方向に回動自在に連結してある。そして背ボトム板３０ａの下面には、図１０（ｂ）に示す取付金具２３ａを、図１０（ａ）のようにビス止めで取り付けてある。また腿ボトム板３０ｃの下面には、図１１（ｂ）に示す取付金具２３ｂを、図１１（ａ）のようにビス止めで取り付けてある。取付金具２３ａ，２３ｂの一側縁には結合片２４が垂下して設けてあり、取付金具２３ａ，２３ｂの各結合片２４には２箇所の係止凹部２５と１箇所の結合孔４が形成してある。背ボトム板３０ａの取付金具２３ａに設けられる係止凹部２５は、ベッドの後方（ベッドに寝る人の頭側を前、足側を後とする）へ開口するように形成してあり、また腿ボトム板３０ｃの取付金具２３ｂに設けられる係止凹部２５は、前方へ開口するように形成してある。
【００３３】
そして昇降フレーム４１へのボトム板３０の取り付けは、背ボトム板３０ａについては、背ボトム板３０ａを背ボトム板回動軸６０ａの回動アーム２７ａの上に載置し、背ボトム板３０ａの下面の取付金具２３ａを回動アーム２７ａに連結結合することによって、行なうことができるものであり、腿ボトム板３０ｃ及び足ボトム板３０ｄについては、腿ボトム板３０ｃを腿ボトム板回動軸６０ｂの回動アーム２７ｂの上に載置し、腿ボトム板３０ｃの下面の取付金具２３ｂを回動アーム２７ｂに連結結合することによって、行なうことができる。
【００３４】
背ボトム板３０ａを取り付けるにあたっては、回動アーム２７ａの上に背ボトム３０ａを載置して、まず取付金具２３ａの結合片２４の係止凹部２５に、回動アーム２７ａの側面に突出する係止ピン２８を差し込み係止させる。このように係止凹部２５に係止ピン２８が差し込み係止される位置で、回動アーム２７ａの結合孔４と取付金具２３ａの結合孔４が合致するようになっている。そして後述のようにこの結合孔４に結合用ピンＡを装着して、回動アーム２７ａに取付金具２３ａを連結結合することによって、背ボトム板回動軸６０ａを介して昇降フレーム４１の上に取り付けることができるものである。また腿ボトム板３０ｃと足ボトム板３０ｄも、上記と同様にして、腿ボトム板３０ｃの下面の取付金具２３ｂを回動アーム２７ｂに連結結合することによって、腿ボトム板回動軸６０ｂを介して昇降フレーム４１の上に取り付けることができるものである。さらにボトム板３０のうち、腰ボトム板３０ｂは昇降フレーム４１の上に固定して取り付けられるものである。
【００３５】
そして上記したように、電動機６９を作動させて背ボトム板回動軸６０ａを回動駆動し、回動アーム２７ａを図８のｅ矢印のように回動させると、この回動アーム２７ａに取り付けられた背ボトム板３０ａも上方へ回動され、図６に鎖線で示すように斜めに立ち上げられる。このように背ボトム板３０ａが斜めに立ち上げられると、マットレス１も図３のように斜めに立ち上がり、ベッドの上に寝る人の上半身を持ち上げて起し、ベッドの上でもたれ座りをした姿勢にすることができるものである。また電動機７０を作動させて腿ボトム板回動軸６０ｂを回動駆動し、回動アーム２７ｂを図８のｇ矢印のように回動させると、この回動アーム２７ｂに取り付けられた腿ボトム板３０ｃも上方へ回動される。このように腿ボトム板３０ｃを上方へ回動させて斜めに立ち上げると、腿ボトム板３０ｃと蝶番３２で連結されている足ボトム板３０ｄも斜めに立ち上がって、図６に鎖線で示すように腿ボトム板３０ｃと足ボトム板３０ｄは逆Ｖ字形に屈曲されるものであり、マットレス３１も図３のように逆Ｖ字形に屈曲され、ベッドに寝る人の腿と臑を曲げた、つまり脚を曲げた状態にすることができ、楽な姿勢でもたれ座りをすることができるものである。
【００３６】
次に、上記した、昇降フレーム４１を構成する側枠材５３と、端部枠材５４，５５の側部枠材５８とを、連結結合する部材５ａ，５ｂとして用いて、本発明の結合用ピンＡで連結結合する構成について説明する。側枠材５３や側部枠材５８はいずれも角パイプで形成される部材５ａ，５ｂであり、各部材５ａ，５ｂの両側面には対向した位置において結合孔４が穿設してある。そしてこの結合孔４が合致するように位置合せをした状態で、部材５ａ，５ｂを重ねて配置し、図１（ａ）に示すように部材５ａ，５ｂの一連の結合孔４に軸ピン３を挿し通す。そして部材５ａ，５ｂの一方、例えば部材５ａの外面に軸ピン３の頭部１を当接させた状態で部材５ａ，５ｂの他方、例えば部材５ｂの結合孔４から軸ピン３の端部が突出するが、部材５ａ，５ｂはいずれも角パイプで形成されるために厚みがあり、部材５ａ，５ｂの合計の幅寸法Ｌ１は大きい。このため、軸ピン３に設けた２個の差込孔２のうち、頭部１に近い側の差込孔２は部材５ｂ内に位置しており、部材５ｂの結合孔４から突出する軸ピン３には先端側の差込孔２のみが露出されている。従って、この露出している差込孔２にスナップピン６の直線ピン部７を差し込んで、図１（ａ）のように軸ピン３にスナップピン６を装着すると、スナップピン６が結合孔４の開口縁に係止されて軸ピン３の抜け止めとなるので、部材５ａと部材５ｂを、すなわち側枠材５３と側部枠材５８を結合用ピンＡで連結結合することができるものである。
【００３７】
また、上記した、昇降フレーム４１の回動アーム２７ａ，２７ｂと、背ボトム板３０ａや腿ボトム板３０ｃの取付金具２３ａ，２３ｂとを、連結結合する部材５ａ，５ｂとして用いて、本発明の結合用ピンＡで連結結合する構成について説明する。上記のように回動アーム２７ａ，２７ｂは両側に側片６２を設けた断面コ字形の部材５ａであって、各側片６２に結合孔４が形成されている。一方、取付金具２３ａ，２３ｂは結合片２４を垂下した断面Ｌ字形に形成される部材５ｂであって、結合片２４に結合孔４が設けてある。そして上記のように取付金具２３ａ，２３ｂの係止凹部２５に回動アーム２７ａ，２７ｂの係止ピン２８を差し込み係止させた状態で、取付金具２３ａ，２３ｂと回動アーム２７ａ，２７ｂの結合孔４は一致するようになっているので、図１（ｂ）のように部材５ａ，５ｂの一連の結合孔４に軸ピン３を挿し通す。このとき、部材５ａ，５ｂの一方、例えば部材５ａの外面に軸ピン３の頭部１を当接させた状態で部材５ａ，５ｂの他方、例えば部材５ｂの結合孔４から軸ピン３の端部が突出するが、部材５ａは断面コ字形であるために厚みがあるが、部材５ｂの厚みは実質的に結合片２４の厚みであって薄く、部材５ａ，５ｂの合計の幅寸法Ｌ２は小さい。このため、部材５ｂの結合孔４から突出する軸ピン３には２個の差込孔２の両方が露出されている。従って、露出している差込孔２のうち、部材５ｂの外面に近い側の差込孔２にスナップピン６の直線ピン部７を差し込んで、図１（ｂ）のように軸ピン３にスナップピン６を装着すると、スナップピン６が結合孔４の開口縁に係止されて軸ピン３の抜け止めとなるので、部材５ａと部材５ｂを、すなわち回動アーム２７ａ，２７ｂと取付金具２３ａ，２３ｂを結合用ピンＡで連結結合することができるものである。
【００３８】
上記のように、軸ピン３にはその軸方向に沿った複数個所に差込孔２が設けてあるので、部材５ａ，５ｂの合計の幅寸法が異なっても、部材５ａ，５ｂの合計幅寸法に適合した差込孔２を選択してスナップピン６を装着することによって、一種類の軸ピン３で部材５ａ，５ｂの連結結合を行なうことができるものである。例えば電動ベッドにおいて、結合する部材５ａ，５ｂとして図１（ａ）（ｂ）のように合計幅寸法がＬ１とＬ２のように２種類ある場合、軸ピン３として頭部１から差込孔２までの距離がＬ１とＬ２に適合する位置の２箇所に設けたものを用いることによって、１種類の軸ピン３だけで電動ベッドの組み立てが可能になるものである。勿論、結合する部材５ａ，５ｂとして合計幅寸法が３種類以上ある場合には、その合計幅寸法に適合した３箇所以上に差込孔２を設けた軸ピン３を用いるものである。そしてこのように１種類の軸ピン３で合計幅寸法が異なる部材５ａ，５ｂの連結結合ができる結果、電動ベッドを組み立てる際に、長さの異なる複数種の軸ピン３を使い分けるような煩雑さがなくなるものである。
【００３９】
ここで、上記のように軸ピン３の差込孔２にスナップピン６の直線ピン部７を差し込むと、係合ピン部８がその先端のガイド傾斜部１６でガイドされて軸ピン３の外周に乗り上がり、図２（ｂ）に示すように、係合ピン部８の係合部１５が軸ピン３の外周に係合される。このように係合ピン部８が軸ピン３の外周に係合することによって、差込孔２に挿入された直線ピン部７が容易に抜けないようにすることができ、軸ピン３からスナップピン６が脱落することを防ぐことができるものである。
【００４０】
上記のように係合ピン部８を軸ピン３の外周に係合させることによってスナップピン６が脱落することを防ぐことができるが、軸ピン３にスナップピン６を装着するために差込孔２に直線ピン部７を差し込む際には、同時に軸ピン３の外周に係合ピン部８を係合させる必要があり、操作部９を操作して直線ピン部７を差込孔２に差し込むのに大きな力を要する。また軸ピン３からスナップピン６を外すために差込孔２から直線ピン部７を抜く際には、同時に軸ピン３の外周への係合ピン部８の係合を外す必要があり、このときも操作部９を操作して直線ピン部７を差込孔２から抜くのに大きな力を要する。図１２の従来例では、操作部９を指で摘んで差込孔２に直線ピン部７を差し込んだり引き抜いたりする必要があるが、指で摘むことによっては大きな力を発揮するのが難しく、特に力の弱い女性などでは操作が難しくなる。
【００４１】
そこで、図２に示すように、直線ピン部７に対して操作部９を屈曲させてある。このように操作部９が屈曲していることによって、直線ピン部７を差込孔２に差し込む際には、図１（ａ）に矢印で示すように、手の指の腹で操作部９を押すことによって、強い力を作用させて差し込みの操作を行なうことができるものであり、また直線ピン部７を差込孔２から抜く際には、図１（ｂ）に矢印で示すように、手の指の腹を操作部９に引っ掛けて引くことによって、強い力を作用させて抜き外しの操作を行なうことができるものである。
【００４２】
このように、操作部９を摘むような必要なく、操作部９を指で押したり、指を引っ掛けて引いたりすることによって、軸ピン３にスナップピン６を装着したり外したりする操作を容易に行なうことができるものである。しかも、操作部９はループ形状に形成してあるため、操作部９は指の腹に広い範囲で接触することになり、操作部９から指に作用する力を分散することができ、操作部９を操作する際に指に感じる痛みを軽減することができるものである。
【００４３】
尚、上記の実施の形態では、本発明を電動ベッドに適用する場合について説明したが、これにのみ限定されるものではなく、車椅子など任意の装置に適用することが可能である。
【符号の説明】
【００４４】
１  頭部
２  差込孔
３  軸ピン
４  結合孔
５  部材
６  スナップピン
７  直線ピン部
８  係合ピン部
９  操作部
【図１】
2010196814.tif 000003
【図２】
2010196814.tif 000004
【図３】
2010196814.tif 000005
【図４】
2010196814.tif 000006
【図５】
2010196814.tif 000007
【図６】
2010196814.tif 000008
【図７】
2010196814.tif 000009
【図８】
2010196814.tif 000010
【図９】
2010196814.tif 000011
【図１０】
2010196814.tif 000012
【図１１】
2010196814.tif 000013
【図１２】
2010196814.tif 000014
【図１３】
2010196814.tif 000015